(57)【要約】 【課題】鍵による押込み動作と回転動作とを組み合わせることによってキーシリンダの回転による不正解錠を困難とし、また、リンク部材を直接的に動作させる不正解錠も困難とする、効果的に不正解錠を防止することができて安全性の高い枠体の施錠装置及びその施錠装置を有する遊技機を提供すること。【解決手段】この施錠装置１は、鍵穴３４ａが形成され、鍵穴３４ａに挿入された鍵３７の回転に伴って回転するキーシリンダ３４と、キーシリンダ３４の回転に連動して往復動可能なステー３６とを有し、ステー３６の往復動に起因する係止フック３６ｂの係脱により、枠体４，８の施錠及び解錠が可能な枠体の施錠装置であって、キーシリンダ３４の所定角度の回転を条件にキーシリンダ３４の少なくとも一部が鍵３７の鍵穴３４ａへの挿入方向に押込み可能とされるとともに、押込み状態でのみキーシリンダ３４の回転によってステー３６が往復動可能とされている。【選択図】図２
2008125777.tif 000002
【特許請求の範囲】
【請求項１】
鍵穴が形成され、該鍵穴に挿入された解錠鍵の回転に伴って回転するキーシリンダと、
該キーシリンダの回転に連動して往復動可能なリンク部材とを有し、
該リンク部材の往復動に起因する係止部の係脱により、枠体の施錠及び解錠が可能な枠体の施錠装置であって、
前記キーシリンダの所定角度の回転を条件に該キーシリンダの少なくとも一部が前記解錠鍵の前記鍵穴への挿入方向に押込み可能とされるとともに、該押込み状態でのみ前記キーシリンダの回転によって前記リンク部材が往復動可能とされている枠体の施錠装置。
【請求項２】
前記非押込み状態で前記キーシリンダが回転可能とされ、かつ、該キーシリンダの回転によっても前記リンク部材が往復動不可能とされるとともに、
前記押込み状態で前記キーシリンダが回転可能とされ、かつ、該キーシリンダの回転によって前記リンク部材が往復動可能とされている請求項１に記載の枠体の施錠装置。
【請求項３】
前記非押込み状態で前記キーシリンダが回転不可能とされ、かつ、
前記押込み状態で前記キーシリンダが回転可能とされ、かつ、該キーシリンダの回転によって前記リンク部材が往復動可能とされている請求項１に記載の枠体の施錠装置。
【請求項４】
前記キーシリンダと前記リンク部材との連動が、該キーシリンダとともに回転するカム部材と前記リンク部材に形成された係合孔との係合により実現されている請求項１から請求項３のうちいずれか１項に記載の枠体の施錠装置。
【請求項５】
前記非押込み状態において、前記係止部の脱離方向への前記リンク部材の移動を阻止するように前記キーシリンダ又は前記カム部材が配置されている請求項４に記載の枠体の施錠装置。
【請求項６】
遊技機全体を囲む筐体枠体と、
遊技媒体による遊技を演出する遊技装置体と、
該遊技装置体を保持し、前記筐体枠体に対して前面開閉可能に揺動支持された第１枠体と、
前記遊技装置体に対して一定距離離間して配置された前面透明板と、
該前面透明板又はその周囲を囲む装飾部材を保持し、前記第１枠体に対して前面開閉可能に揺動支持された第２枠体と、
前記遊技媒体を貯留する貯留皿と、
請求項１から請求項５のうちいずれか１項に記載の枠体の施錠装置と、を有する遊技機。
【発明の詳細な説明】
【技術分野】
【０００１】
本発明は、枠体の施錠装置及び遊技機に係り、特に、パチンコ機等の遊技機において、機枠や装飾枠等の枠体に対する不正解錠を効果的に防止し得る施錠装置等に関する。
【背景技術】
【０００２】
パチンコ機等の弾球遊技機では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機は、機器全体が複数の枠により囲まれるように構成されて、球の円滑な流下、遊技者による遊技盤への不正アクセス防止、パチンコホールへの設置性の向上、メンテナンス性の向上等様々な機能を実現している。
【０００４】
具体的には、木材や樹脂等で形成された筐体枠が、パチンコ機全体の主に上下面及び左右側面を囲むように構成されている。そして、その筐体枠の前面、すなわち遊技者側には機枠が筐体枠に対して開閉及び施錠可能に配置され、この機枠が遊技盤を保持している。
【０００５】
さらにその機枠の前面には装飾枠が機枠に対して開閉及び施錠可能に配置され、この装飾枠が遊技盤前面の前面透明板やその周囲に配置される各種装飾部材を保持している。この機枠や装飾枠等の核枠体を施錠する施錠装置としては、例えば特許文献１，２に開示のものがある。
【０００６】
【特許文献１】特開２００６−１３６６１６号公報
【特許文献２】特開２００３−２６５８１６号公報
【発明の開示】
【発明が解決しようとする課題】
【０００７】
しかしながら、これらの枠体（筐体枠、機枠、装飾枠等）を施錠装置によって施錠しても、枠体が開放される不正行為は後を絶たない。例えば、施錠装置の鍵穴に工具や不正な解錠器具を挿入してキーシリンダを回転させ、不正に枠体を解錠する方法が行われている。
【０００８】
また、キーシリンダを回転させるのではなく、キーシリンダの回転に連動して動作するリンク部材を外部から強制的に動作させる不正方法も行われている。このリンク部材は、キーシリンダの回転に連動して往復動し、その往復動によって枠体どうしの係脱を行うものである。そしてこの不正方法は、キーシリンダの回転を伴わずに外部から直接リンク部材を動作させ、枠体どうしの係止を解除して枠体を不正に開放するものである。
【０００９】
このように、従来の施錠装置では、枠体どうしの施錠は可能であるものの、不正によって解錠される可能性も少なくなく、より一層不正解錠が困難で安全性の高い施錠構造が求められていた。
【００１０】
本発明は、上記の事情に鑑みて為されたもので、鍵による押込み動作と回転動作とを組み合わせることによってキーシリンダの回転による不正解錠を困難とし、また、リンク部材を直接的に動作させる不正解錠も困難とする、効果的に不正解錠を防止することができて安全性の高い枠体の施錠装置及びその施錠装置を有する遊技機を提供することを例示的課題とする。
【課題を解決するための手段】
【００１１】
上記の課題を解決するために、本発明の例示的側面としての枠体の施錠装置は、鍵穴が形成され、鍵穴に挿入された解錠鍵の回転に伴って回転するキーシリンダと、キーシリンダの回転に連動して往復動可能なリンク部材とを有し、リンク部材の往復動に起因する係止部の係脱により、枠体の施錠及び解錠が可能な枠体の施錠装置であって、キーシリンダの所定角度の回転を条件にキーシリンダの少なくとも一部が解錠鍵の鍵穴への挿入方向に押込み可能とされるとともに、押込み状態でのみキーシリンダの回転によってリンク部材が往復動可能とされていることを特徴とする。
【００１２】
解錠にキーシリンダの回転及び押込みの２つの動作が必要なので、解錠工具や不正な鍵を用いた不正解錠を困難とすることができる。解錠するためには押込み状態とする必要があるが、その状態にするためには、キーシリンダを所定角度回転させる必要がある。そしてその押込み状態においてさらにキーシリンダを回転させることにより解錠可能となっている。したがって、解錠鍵を用いた解錠操作は容易に行えるものの、解錠工具や不正鍵を用いた不正解錠は非常に困難なものとされている。効果的に不正解錠を防止することができて安全性の高い施錠装置とすることができる。解錠鍵を用いた場合でも非押込み状態では枠体の解錠ができないので、不用意な解錠を防止する効果も得ることができる。
【００１３】
なお、ここで「枠体を施錠する」ことは、枠体の施錠装置を施錠することと略同義であり、施錠装置を施錠することにより、枠体を閉鎖状態に維持することを意味する。また、「枠体を解錠する」ことは、枠体の施錠装置を解錠することと略同義であり、施錠装置を解錠することにより、枠体を開閉可能な状態とすることを意味する。
【００１４】
また、「往復動可能」とは、「常に往復動する」状態のみならず、「一部に往復動しない状態があっても往復動することができる場合がある」状態をも含む概念である。
【００１５】
解錠鍵の鍵穴への非挿入時にキーシリンダの少なくとも一部が挿入方向に押込み不可能とされていてもよい。
【００１６】
解錠鍵を挿入しなければ押込み状態とすることができず、しかも押込み状態でなければ枠体を解錠できないので、解錠鍵以外の解錠工具や不正な鍵を用いて解錠することができない。したがって、より一層効果的に不正解錠を防止することができ、安全性の高い施錠装置とすることができる。
【００１７】
非押込み状態でキーシリンダが回転可能とされ、かつ、キーシリンダの回転によってもリンク部材が往復動不可能とされるとともに、押込み状態でキーシリンダが回転可能とされ、かつ、キーシリンダの回転によってリンク部材が往復動可能とされていてもよい。
【００１８】
非押込み状態ではキーシリンダとリンク部材とが連係しておらず、キーシリンダを回転させてもリンク部材が往復動することができないように構成されている。したがって、非押込み状態でキーシリンダを回転させても枠体を解錠することができない。そして、押込み状態ではキーシリンダとリンク部材とが連係することにより、キーシリンダの回転によってリンク部材が往復動することができるように構成されている。
【００１９】
解錠鍵を用いて押込み状態とすれば容易に枠体を解錠することができるが、解錠工具や不正鍵を用いて非押込み状態で枠体を解錠することはできない。したがって、効果的に不正解錠を防止することができ、安全性の高い施錠装置とすることができる。
【００２０】
非押込み状態でキーシリンダが回転不可能とされ、かつ、押込み状態でキーシリンダが回転可能とされ、かつ、キーシリンダの回転によってリンク部材が往復動可能とされていてもよい。
【００２１】
非押込み状態ではキーシリンダが回転不可能であるので、非押込み状態でキーシリンダとリンク部材とが連係していても枠体を解錠することができない。そして、押込み状態ではキーシリンダの回転によってリンク部材が往復動することができる。
【００２２】
解錠鍵を用いて押込み状態とすれば容易に枠体を解錠することができるが、解錠工具や不正鍵を用いて非押込み状態で枠体を解錠することはできない。したがって、効果的に不正解錠を防止することができ、安全性の高い施錠装置とすることができる。
【００２３】
キーシリンダとリンク部材との連動が、キーシリンダとともに回転するカム部材とリンク部材に形成された係合孔との係合により実現されていてもよい。
【００２４】
カム部材とリンク部材の係合孔とによって、キーシリンダとリンク部材との連係及び非連係を容易に制御することができる。しかも確実に両者の連動を行わせることができる。もちろん、キーシリンダとリンク部材との連動がギア（ウォームギア、ラックを含む。）により実現されていてもよい。
【００２５】
非押込み状態において、係止部の脱離方向へのリンク部材の移動を阻止するようにキーシリンダ又はカム部材が配置されていてもよい。
【００２６】
非押込み状態で、リンク部材を解錠方向に動作させようとしても、キーシリンダ又はカム部材がその動作を阻止するように配置されており、リンク部材が解錠方向に動作できない。したがって、解錠工具や不正鍵を用いてキーシリンダを不正に回転させようとする不正解錠行為を防止することができるのみならず、リンク部材を外部から直接動作させて不正解錠させようとする不正行為をも効果的に防止することができる。したがって、より一層安全な施錠装置とすることができる。
【００２７】
本発明の他の例示的側面としての遊技機は、遊技媒体による遊技を演出する遊技装置体と、遊技装置体を保持し、筐体枠体に対して前面開閉可能に揺動支持された第１枠体と、遊技装置体に対して一定距離離間して配置された前面透明板と、前面透明板又はその周囲を囲む装飾部材を保持し、第１枠体に対して前面開閉可能に揺動支持された第２枠体と、遊技媒体を貯留する貯留皿と、上記の枠体の施錠装置とを有することを特徴とする。
【００２８】
この遊技機は、効果的に不正解錠を防止することができて安全性の高い施錠装置を有しているので、パチンコホールの経営者や店員が安心して遊技を提供することができる。この遊技機をパチンコホールに設置することにより、不正解錠を試みる遊技者をパチンコホールから遠ざけることができ、結果的に他の遊技者も安心して遊技を行うことができる。
【００２９】
本発明の更なる目的又はその他の特徴は、以下添付図面を参照して説明される好ましい実施の形態によって明らかにされるであろう。
【発明の効果】
【００３０】
本発明によれば、鍵による押込み動作と回転動作との組み合わせることによって効果的に不正解錠を防止することができて安全性の高い施錠装置を提供することができる。その施錠装置を有する遊技機をパチンコホールに設置することにより、パチンコホールの経営者や店員が安心して遊技を提供することができるとともに、遊技者が安心して遊技を行うことができる。
【発明を実施するための最良の形態】
【００３１】
［実施の形態１］
以下、本発明の実施の形態１について図面を用いて説明する。図１は、本発明の実施の形態１に係る枠体の施錠装置を有する遊技機としてのパチンコ機２の外観を示す外観斜視図である。パチンコ機２は、筐体枠（筐体枠体）４、遊技盤（遊技装置体）６、機枠（第１枠体）８、前面透明板１０、装飾枠（第２枠体）１２、上皿（貯留皿）１４、施錠装置１を有して構成されている。パチンコ機２は、さらに、球発射装置（図示せず。）、発射ハンドル１６を有している。
【００３２】
パチンコ機２は、組合せ式パチンコ機、封入循環式パチンコ機等を含む。また、遊技機としてはパチンコ機の他に、遊技媒体としてコインを使用するパチスロ機やスロットマシン、各種ゲーム機やアーケードマシン等が概念できる。
【００３３】
筐体枠４は、このパチンコ機２全体を囲むための枠体であり、平面視略長方形に構成されている。材料としては、木材が用いられることが多いが、他に樹脂やアルミ等の金属が用いられることもある。筐体枠４は、パチンコ機２全体の上下面及び左右側面を囲い、前面（すなわち、遊技者側）から見て左側面側には機枠８及び装飾枠１２を揺動支持するためのヒンジ部（揺動支持部）１８が設けられている。
【００３４】
遊技盤６は、このパチンコ機２において、遊技媒体としての球２０による遊技を演出するためのものである。遊技盤６の遊技盤面６ａには、略円形状に周囲を囲むようにレール２２が取り付けられ、このレール２２によって遊技領域６ｂが画定されている。
【００３５】
その遊技領域６ｂ内には多数のゲージ２４、入賞口２６、図柄表示装置２８、アウト口３０、その他の各種役物が配置されている。図示しない球発射装置により球２０が遊技領域６ｂ内の上部に向けて発射されると、球２０がゲージ２４に衝突してその流下方向を変えつつ遊技領域６ｂ内を流下するようになっている。その流下の途中で、あるものは入賞口２６に入賞して景品球払出しの契機となり、あるものは図柄表示装置２８による図柄変動遊技開始の契機となり、また、あるものはいずれの入賞口２６にも入賞せずにアウト口３０からパチンコ機２の外部へと排出される。このように、遊技盤６上を球２０が流下する際に、様々な遊技が演出されるようになっている。
【００３６】
遊技盤６の裏面側には入賞口２６に入賞した入賞球やアウト口３０に流入したアウト球を排出するための球経路、図柄表示装置２８の図柄表示制御を行う図柄表示制御基板（図示せず。）、各種役物の動作制御を行う役物制御基板が配置されるが詳細は省略する。
【００３７】
機枠８は、遊技盤６を保持するための枠体であり、その中央近傍に遊技盤６を取り付けるための取付け開口が形成されている。取付け開口の周囲に遊技盤６を着脱可能に取り付けるための取付け部を有し、機枠８は遊技盤６の周囲を囲むように構成されている。その機枠８は、筐体枠４の前面側に配置されてヒンジ部１８において筐体枠４に軸支され、筐体枠４に対して前面開閉可能に揺動支持されている。機枠８は、樹脂又は金属によって形成され、その裏面側には裏機構盤（図示せず。）が配置される。その裏機構盤には、入賞球を計数して排出処理する入賞球処理装置（図示せず。）、景品球を計数して払い出す景品球払出し装置（図示せず。）等が配置されている。
【００３８】
前面透明板１０は、遊技盤６に対して一定距離離間して配置された透明板である。前面透明板１０は透明平板で形成され、遊技盤６との間に球２０が流下する流下空間を形成する機能、遊技者が前面透明板１０を通して遊技盤６を視認できるように視認性を確保する機能、遊技者が遊技盤６に不正にアクセス（接触）できないように不正アクセスを防止する機能、を発揮する。
【００３９】
そのため、前面透明板１０の素材としては一般にガラスが使用されるが、もちろん透明アクリル等の樹脂材料が使用されてもよい。また、本実施の形態１においては、前面透明板１０が後述する装飾枠１２に保持されるが、前面透明板１０が遊技盤６の前面に取り付けられて、遊技盤６とともに機枠８に保持されるように構成されていてもよい。
【００４０】
装飾枠１２は、前面透明板１０又はその周囲を囲む装飾部材３２を保持するための枠体である。本実施の形態１においては、装飾枠１２は、前面透明板１０及び装飾部材３２の両方を保持している。その装飾枠１２は、機枠８の前面側に配置されてヒンジ部１８において機枠８とともに筐体枠４に軸支され、機枠８に対して前面開閉可能に揺動支持されている。
【００４１】
装飾枠１２は樹脂又は金属によって形成され、その中央部には前面透明板１０を取り付けるための取付け開口が形成されている。その前面透明板１０の周囲には、パチンコ機２を装飾するための造形・色彩・ランプが付された装飾部材３２が取り付けられ、パチンコ機２の遊技演出に寄与している。
【００４２】
なお、本実施の形態１では、筐体枠４に設けられたヒンジ部１８に機枠８及び装飾枠１２の両方が軸支される構成となっている。しかしながら、機枠８と装飾枠１２とがそれぞれ異なるヒンジ部によって軸支されていてももちろんよい。筐体枠４に機枠８を軸支するヒンジ部が設けられ、機枠８に装飾枠１２を軸支する別のヒンジ部が設けられていてももちろんよい。
【００４３】
上皿１４は、球２０を球発射装置に導くべく貯留するためのもので、下皿１５とともに遊技者の持ち球を貯留する機能を有する。上皿１４は、パチンコ機２の前面であって遊技盤６の下方、すなわち装飾枠１２の下方部分に配置され、下皿１５は、その上皿１４のさらに下方に配置されている。本実施の形態１においては、上皿１４と下皿１５とを別々に構成しているが、もちろん上皿１４と下皿１５とが一体となって１つの貯留皿が構成されていてもよい。
【００４４】
上皿１４は、景品球としてパチンコ機２から払い出された球２０を受け取る機能や、その球２０を球供給装置（いわゆる整流器、図示せず。）を介して球発射装置に導くべく貯留する機能を有している。また、球２０が多量となって上皿１４に貯留し切れなくなった場合や遊技者が遊技を終了する場合に、球排出ボタン１４ｂによって下皿１５へと球２０を排出することができるようになっている。
【００４５】
施錠装置１は、枠体（筐体枠４、機枠８、装飾枠１２）を開閉可能又は不可能に、解錠又は施錠するためのものである。図２は、この施錠装置１の概略構造を模式的に示す構造図である。施錠装置１は、例えば機枠８に装着されており、キーシリンダ（シリンダ）３４、回転カム（カム部材）３５、ステー（リンク部材）３６を有して大略構成されている。なお、本実施の形態１においては、筐体枠４を施錠する施錠装置１について説明するが、もちろん、装飾枠１２を施錠するものであっても、筐体枠４と装飾枠１２との両方を施錠するものであってもよい。
【００４６】
キーシリンダ３４には鍵穴３４ａが形成されており、鍵穴３４ａに鍵（解錠鍵）３７が挿入可能とされている。また、キーシリンダ３４の本体部３４ｃは、略円筒形状の外筒部３４ｂ内に挿入されて全体として二重構造になっており、本体部３４ｃは外筒部３４ｂに対して鍵挿入方向（図中、矢印Ｘ方向。）に押込み可能とされている。
【００４７】
また、このキーシリンダ３４の本体部３４ｃは、外筒部３４ｂに対して円筒中心を中心軸として回転可能とされている。鍵３７を鍵穴３４ａに挿入し、鍵３７を図中時計回り（図中、矢印Ｙ方向。）に回転させると、本体部３４ｃが外筒部３４ｂに対して回転するように構成されている。
【００４８】
なお、本実施の形態１においては、鍵３７が鍵穴３４ａに挿入されると（以下、この状態を挿入時という。）、本体部３４ｃを押し込まない状態（以下、この状態を非押込み状態という。）でも押し込んだ状態（以下、この状態を押込み状態という。）でも本体部３４ｃは矢印Ｙ方向に回転可能とされ、鍵３７を回すことができる。しかしながら、後述するように非押込み状態では鍵３７を回しても解錠できず、押込み状態で鍵３７を回せば解錠できるようになっている。
【００４９】
回転カム３５は、キーシリンダ３４の本体部３４ｃの後面側に固定され、本体部３４ｃとともに回転するようになっている。その回転カム３５は、例えば円形の金属又は樹脂製の板状部材であって、その円周面状に作動突起３５ａが設けられている。この作動突起３５ａがステー３６の係合孔３６ａに入り込むように配置され、係合孔３６ａと連係することにより、本体部３４ｃの回転にステー３６が連動するように構成されている。
【００５０】
ステー３６は、板状の作動部材であって、例えば金属板で形成される。ステー３６には、係止フック（係止部）３６ｂが設けられており、その係止フック３６ｂが筐体枠４の係止孔４ａに係止されることによって筐体枠４と機枠８とが閉鎖状態で施錠されるように構成されている。この係止フック３６ｂは、施錠状態、すなわち鍵３７が鍵穴３４ａに挿入されていない状態（以下、この状態を非挿入時という。）で係止孔４ａに係止され、解錠状態、すなわちステー３６が図中下方向（図中、矢印Ｚ方向。）に押し下げられた状態で、係止孔４ａから脱離するように配置されている。
【００５１】
ステー３６に形成された係合孔３６ａは、図示するように斜面３６ｃ、受け面３６ｄ、底面３６ｅを有した略矢印形状とされており、本体部３４ｃの非押込み状態で回転カム３５の作動突起３５ａが斜面３６ｃの上端部３６ｆ近傍に位置するように構成されている。
【００５２】
鍵３７を鍵穴３４ａに挿入して時計回りに回すと、回転カム３５も時計回り（矢印Ｙ方向。）に回転する。ここで、鍵３７を押し込むことなく非押込み状態のまま回転させると、作動突起３５ａが受け面３６ｄにも底面３６ｅにも届かず空振り回転する。したがって、回転カム３５とステー３６とが連動せず、ステー３６は動作しない。結果として、係止フック３６ｂと係止孔４ａとの係止が解除されず、筐体枠４と機枠８とは解錠されない。鍵３７を挿入した場合であっても非押込み状態であれば解錠されないので、不用意な解錠を防止することができる。
【００５３】
また、鍵３７を回転させずに押し込もうとしても、作動突起３５ａが斜面３６ｃに衝突して押し込むことができないようになっている。したがって、この施錠装置１は鍵３７を押し込まずに回転させても回転させずに押し込んでも解錠することができず、鍵３７を回転させつつ押し込んだ場合にのみ解錠することができるようになっている。鍵３７を用いた解錠動作においては容易であるが、解錠工具や不正鍵を用いて不正解錠を行おうとする際には困難となる「回転させつつ押し込む」という動作が解錠において要求されるので、安全性の高い施錠装置となっている。
【００５４】
一方、鍵３７を回転させつつ押し込むようにすると、作動突起３５ａが斜面３６ｃに沿いつつ回転し、本体部３４ｃが矢印Ｘ方向に押し込まれるようになっている。そして、作動突起３５ａが斜面３６ｃの下端部３６ｇ近傍に到達し（押込み状態）、さらに鍵３７を回転させると、作動突起３５ａが受け面３６ｄを下方（矢印Ｚ方向。）に押し下げる。したがって、回転カム３５に連動してステー３６が下方に移動し、係止フック３６ｂと係止孔４ａとの係止が解除されて、筐体枠４と機枠８とが解錠される。
【００５５】
ステー３６には、さらに突起部３６ｈが設けられている。この突起部３６ｈは、非押込み状態において、回転カム３５の直上に位置するように配置されている。したがって、施錠装置１の施錠状態において、鍵３７を用いることなく外部から直接ステー３６を矢印Ｚ方向に押し下げて、係止フック３６ｂと係止孔４ａとの係止を解除させようとした場合に、この突起部３６ｈが回転カム３５に衝突してステー３６の下方への移動を阻止する。
【００５６】
一方、押込み状態においては、回転カム３５が矢印Ｘ方向に押し込まれて突起部３６ｈの直下に位置しないようになっている。したがって、鍵３７を用いて施錠装置１の解錠を行う際には、ステー３６は問題なく矢印Ｚ方向に下方移動することが可能となっている。
【００５７】
次に、鍵３７を用いてこの施錠装置１を解錠する解錠動作について図３のフローチャートを用いて説明する。
【００５８】
鍵３７を鍵穴３４ａに挿入する（Ｓ．１）。そして鍵３７を時計回り（矢印Ｙ方向）に回転させつつ押し込む（Ｓ．２）。それにより、回転カム３５が回転しながら作動突起３５ａが斜面３６ｃを上端部３６ｆから下端部３６ｇまで移動する（Ｓ．３）。さらに鍵３７を矢印Ｙ方向に回転させると（Ｓ．４）、作動突起３５ａが受け面３６ｄを下方に押し下げる（Ｓ．５）。そして、ステー３６が下方に移動して係止フック３６ｂと係止孔４ａとの係止が脱離し、枠体が解錠される（Ｓ．６）。
【００５９】
一方、鍵３７を回転させつつ押し込んでいない場合において（Ｓ．２）、押し込まずに鍵３７を回転させた場合は（Ｓ．７）、作動突起３５ａが空振り回転し、ステー３６が下方に押し下げられず、枠体が解錠されない（Ｓ．８）。また、鍵３７を回転させずに押し込もうとした場合は（Ｓ．９）、作動突起３５ａが斜面３６ｃに衝突して鍵３７を押し込むことができず、やはり枠体は解錠されない（Ｓ．１０）。
【００６０】
図示しない球発射装置は、遊技媒体としての球（パチンコ球）２０を遊技領域６ｂの上部に向けて発射（弾球）するためのものである。球発射装置は、例えば発射位置に送り出された球２０を遊技領域６ｂに向けて弾球する発射杆、その発射杆を駆動して弾球往復動を行わせる発射モータ、発射杆を付勢して弾球のための力を発生させる発射バネ等を有してユニット構成され、機枠８に取り付けられている。
【００６１】
発射ハンドル１６は、球発射装置による弾球強度を調整するためのハンドルであって、遊技者が手で操作するためのものである。例えば、パチンコ機２の前面下部右側に配置されて略円筒形状を呈しており、円筒周面に沿ってその強度調整杆１６ａが回転可能となっている。遊技者は、発射ハンドル１６を手で保持しつつ、強度調整杆１６ａを回転させることにより、球２０の発射強度を調整することができるようになっている。
【００６２】
なお、本実施の形態１においては、遊技機としてのパチンコ機２について説明したが、もちろん上述のように、遊技機としてはパチスロ機やスロットマシン、各種ゲーム機やアーケードマシン等が概念できる。ここで、パチスロ機やスロットマシンの場合は、コインが遊技媒体に相当し、回胴体が遊技装置体に相当する。
【００６３】
［実施の形態２］
図４は、本発明の実施の形態２に係る施錠装置１の概略構造を模式的に示す構造図である。この施錠装置１においては、回転カム３５が厚肉部３５ｂと薄肉部３５ｃとを有し、それらが段差部３５ｄによって接合されている。また、ステー３６の係合孔３６ａは略Ｌ字形状とされ、底面３６ｉを有する長穴部３６ｊと底面３６ｉより上方の底面３６ｋを有する短穴部３６ｌとを有している。ステー３６は、さらに回転カム３５側に当接突起３６ｍを有し、その当接突起３６ｍが回転カム３５に当接している。
【００６４】
鍵３７の非挿入時かつ非押込み状態において、回転カム３５の厚肉部３５ｂが当接突起に当接し、作動突起３５ａは長穴部３６ｊの上面近傍に位置している。ここで鍵３７を鍵穴３４ａに挿入し、矢印Ｙ方向に回転させつつ押し込むと、回転カム３５が矢印Ｙ方向に回転し、当接突起３６ｍが段差部３５ｄを超えて薄肉部３５ｃに当接する。
【００６５】
そうすると、本体部３４ｃが矢印Ｘ方向に移動して押込み状態となり、回転カム３５が短穴部３６ｌへと移動する。さらに鍵３７を回転させると、作動突起３５ａが短穴部３６ｌの底面３６ｋを下方へ押し下げ、ステー３６が下方へと移動して係止フック３６ｂが解除される。
【００６６】
［実施の形態３］
図５は、本発明の実施の形態３に係る施錠装置１の概略構造を模式的に正面及び側面から示す二面図である。なお、正面図は部分的に断面で示している。この施錠装置１においては、ステー３６は実施の形態１において説明したものと略同様であるが、回転カム３５が作動突起３５ａの代わりに作動面３５ｅを有している。そして、回転カム３５の回転中心から周面３５ｆまでの半径距離が、作動面３５ｅにおいて最も長く、その後終端面３５ｇに向かって徐々に短くなるようなカム形状とされている。
【００６７】
鍵３７の非挿入時かつ非押込み状態において、回転カム３５の作動面３５ｅ近傍の周面３５ｆが係合孔３６ａの斜面３６ｃの上端部３６ｆ近傍に当接している。ここで鍵３７を鍵穴３４ａに挿入し、矢印Ｙ方向に回転させつつ押し込むと、回転カム３５が周面３５ｆを斜面３６ｃに当接させつつ矢印Ｙ方向に回転する。回転に従って周面３５ｆの回転中心からの半径距離が短くなるので、周面３５ｆと斜面３６ｃとの当接部が徐々に斜面３６ｃの下端部３６ｇの方へと移動し、それに伴い本体部３４ｃが矢印Ｘ方向へと押し込まれていく。
【００６８】
さらに鍵３７を回転させると、周面３５ｆと斜面３６ｃとの当接部は下端部３６ｇ近傍まで移動する（押込み状態）。そして作動面３５ｅが受け面３６ｄを下方へ押し下げ、ステー３６が下方へと移動して係止フック３６ｂが解除される。
【００６９】
［実施の形態４］
図６は、本発明の実施の形態４に係る施錠装置１の概略構造を模式的に正面及び側面から示す二面図である。なお、正面図は部分的に断面で示している。この施錠装置１においては、ステー３６は係合孔３６ａでなく、回転カム３５側に係合突起３６ｎを有している。回転カム３５は、その周面３５ｆに開始点３５ｈ及び終点３５ｉを有する螺旋状の係合溝３５ｊが形成されており、係合溝３５ｊが係合突起３６ｎと係合するように配置されている。
【００７０】
鍵３７の非挿入時かつ非押込み状態において、係合突起３６ｎは係合溝３５ｊの開始点３５ｈ近傍に係合している。ここで鍵３７を鍵穴３４ａに挿入し、矢印Ｙ方向に回転させつつ押し込むと、回転カム３５も矢印Ｙ方向に回転しつつＸ方向に進み、それに伴って係合突起３６ｎが係合溝３５ｊに係合しつつ開始点３５ｈから終点３５ｉに向かって進む。
【００７１】
係合突起３６ｎが終点３５ｉに到達し（押込み状態）、さらに鍵３７を回転させると、終点３５ｉにおいて係合突起３６ｎが下方へ押し下げられ、ステー３６が下方へと移動して係止フック３６ｂが解除される。
【００７２】
以上、本発明の好ましい実施の形態を説明したが、本発明はこれらに限定されるものではなく、その要旨の範囲内で様々な変形や変更が可能である。
【図面の簡単な説明】
【００７３】
【図１】本発明の実施の形態１に係る施錠装置を有するパチンコ機の外観斜視図である。
【図２】図１に示すパチンコ機が有する施錠装置の概略構造を模式的に示す構造図である。
【図３】図２に示す施錠装置の解錠動作を説明するフローチャートである。
【図４】本発明の実施の形態２に係る施錠装置の概略構造を模式的に示す構造図である。
【図５】本発明の実施の形態３に係る施錠装置の概略構造を模式的に正面及び側面から示す二面図である。
【図６】本発明の実施の形態４に係る施錠装置の概略構造を模式的に正面及び側面から示す二面図である。
【符号の説明】
【００７４】
Ｘ，Ｙ，Ｚ：矢印
１：施錠装置
２：パチンコ機（遊技機）
４：筐体枠（筐体枠体）
４ａ：係止孔
６：遊技盤（遊技装置体）
６ａ：遊技盤面
６ｂ：遊技領域
８：機枠（第１枠体）
１０：前面透明板
１２：装飾枠（第２枠体）
１４：上皿（貯留皿）
１４ｂ：球排出ボタン
１５：下皿
１６：発射ハンドル
１６ａ：強度調整杆
１８：ヒンジ部（揺動支持部）
２０：球（遊技媒体）
２２：レール
２４：ゲージ
２６：入賞口
２８：図柄表示装置
３０：アウト口
３２：装飾部材
３４：キーシリンダ（シリンダ）
３４ａ：鍵穴
３４ｂ：外筒部
３４ｃ：本体部
３５：回転カム（カム部材）
３５ａ：作動突起
３５ｂ：厚肉部
３５ｃ：薄肉部
３５ｄ：段差部
３５ｅ：作動面
３５ｆ：周面
３５ｇ：終端面
３５ｈ：開始点
３５ｉ：終点
３５ｊ：係合溝
３６：ステー（リンク部材）
３６ａ：係合孔
３６ｂ：係止フック（係止部）
３６ｃ：斜面
３６ｄ：受け面
３６ｅ，３６ｉ，３６ｋ：底面
３６ｆ：上端部
３６ｇ：下端部
３６ｈ：突起部
３６ｊ：長穴部
３６ｌ：短穴部
３６ｍ：当接突起
３６ｎ：係合突起
３７：鍵（解錠鍵）
【図１】
2008125777.tif 000003
【図２】
2008125777.tif 000004
【図３】
2008125777.tif 000005
【図４】
2008125777.tif 000006
【図５】
2008125777.tif 000007
【図６】
2008125777.tif 000008